(57)【要約】  本発明は、第１の前面カバーユニットと、第１の前面カバーの後側に形成される第２の前面カバーとを含むディスプレイ装置の前面カバー及びその製造金型に関し、前面カバーは、第１の前面カバーユニットと第２の前面カバーユニットとの間のギャップを通した空気の流入、及びそれによる前面カバーの外観の品質悪化を最小化及び／又は防止する。
2013518294.tif 000002
【特許請求の範囲】
【請求項１】
画像を表示するディスプレイモジュール；及び
前記ディスプレイモジュールの前面枠を覆い、前面と後面を有する第１の前面カバーユニットと、前記第１の前面カバーユニットの後側に形成された第２の前面カバーユニットとを含む前面カバー；を含み、
前記第１の前面カバーユニットは、四角リング状を有する第１の前面部と、前記第１の前面部の内側端及び外側端のうち少なくとも何れか一つから後方に延長された第１の側面部と、を含み、
前記第２の前面カバーユニットは、前記第１の側面部の後面一部を覆うように延長されたオーバーラップ部を含むディスプレイ装置。
【請求項２】
前記第１の側面部は、前記第１の前面部の外側端から後方に延長された第１の外側面部を含み、前記第２の前面カバーユニットのオーバーラップ部は、外側に延長されて前記第１の外側面部の後面一部を覆う第１のオーバーラップ部を含む、請求項１に記載のディスプレイ装置。
【請求項３】
前記第２の前面カバーユニットは、前記第１の前面部の後側に配置される第２の前面部と、前記第２の前面部の外側端から後方に延長され、前記第１の外側面部の内側に配置される第２の外側面部と、を含み、前記第１のオーバーラップ部は、前記第２の外側面部から外側に延長される、請求項２に記載のディスプレイ装置。
【請求項４】
前記第１の側面部は、前記第１の前面部の内側端から後方に延長された第１の内側面部を含み、前記第２の前面カバーユニットのオーバーラップ部は、内側に延長されて前記第１の内側面部の後面一部を覆う第２のオーバーラップ部を含む、請求項１に記載のディスプレイ装置。
【請求項５】
前記第２の前面カバーユニットは、前記第１の前面部の後側に配置される第２の前面部と、前記第２の前面部の内側端から後方に延長され、前記第１の内側面部の内側に配置される第２の内側面部と、を含み、前記第２のオーバーラップ部は、前記第２の内側面部から内側に延長される、請求項４に記載のディスプレイ装置。
【請求項６】
前記第１の前面カバーユニット及び前記第２の前面カバーユニットのうちいずれか一つは透明な材質で形成され、前記第１の前面カバーユニット及び前記第２の前面カバーユニットのうち他の一つは不透明な材質で形成される、請求項１に記載のディスプレイ装置。
【請求項７】
ディスプレイ装置の前面カバーの製造金型セットは、第１の前面部、及び第１の前面部の端から延長された第１の側面部を備えた第１の前面カバーユニットと、前記第１の前面カバーユニットの後側に二重射出成形によって配置される第２の前面カバーユニットとを製造し、金型セットは、
前記第１の前面カバーユニットの前面に対応する形状を有する第１の成形面が設けられた第１の金型と、
前記第１の前面カバーユニットの後面に対応する形状を有し、前記第１の成形面と共に、前記第１の前面カバーユニットに対応する形状を有する第１のキャビティを形成する第２の成形面が設けられた第２の金型と、
前記第２の前面カバーユニットの後面に対応する形状を有し、前記第１の前面カバーユニットの後面と共に、前記第２の前面カバーユニットに対応する形状を有する第２のキャビティを形成する第３の成形面が設けられた第３の金型と、を含み、
前記第３の成形面は、前記第１の側面部の後面一部に対向するオーバーラップ部成形面を含むディスプレイ装置の前面カバーの製造金型セット。
【請求項８】
前記第３の成形面は、前記第１の前面部の外側端から後方に延長される第１の外側面部の後面から離隔する第１のオーバーラップ部成形面を含む、請求項７に記載のディスプレイ装置の前面カバーの製造金型セット。
【請求項９】
前記第３の成形面は、前記第１の前面部の内側端から後方に延長される第１の内側面部の後面から離隔する第２のオーバーラップ部成形面を含む、請求項７に記載のディスプレイ装置の前面カバーの製造金型セット。
【請求項１０】
画像をディスプレイするディスプレイモジュール；
前記ディスプレイモジュールの前面枠を覆い、その第１の端及び第２の端のうち少なくとも一つから前記ディスプレイモジュールに向かって延長される第１の側部を含む前面カバー；及び
前記ディスプレイモジュール及び前記前面カバーと隣接して配置され、前記前面カバーを通して伝送される光を反射し、前記ディスプレイ装置の前面の色を変える反射部材；を含むディスプレイ装置。
【請求項１１】
第１の材質で作られる第１の前面カバーユニットと、
前記第１の前面カバーユニットの第１の面に配置される第２の材質で作られ、前記ディスプレイモジュールに隣接する第２の前面カバーユニットと、を含む、請求項１０に記載のディスプレイ装置。
【請求項１２】
前記第１の材質が透明な材質で、前記第２の材質が不透明な材質である、請求項１１に記載のディスプレイ装置。
【請求項１３】
前記第２の前面カバーユニットは、前記第２の前面カバーユニットの反対端に配置され、前記前面カバーの前記第１の側面部の少なくとも一部を覆うオーラーラップ部を含む、請求項１１に記載のディスプレイ装置。
【請求項１４】
前記第２の前面カバーの前記オーバーラップ部は、前記第１の前面カバーの第１及び第２の端に対応して覆うように配置される、請求項１３に記載のディスプレイ装置。
【請求項１５】
前記第１の前面カバーユニットと前記第２の前面カバーユニットが一体に形成される、請求項１１に記載のディスプレイ装置。
【請求項１６】
前記第１の前面カバーユニットと前記第２の前面カバーユニットが互いに貼り付けられる、請求項１１に記載のディスプレイ装置。
【請求項１７】
前記第１の前面カバーユニットと前記第２の前面カバーユニットは四角リング状を有する、請求項１１に記載のディスプレイ装置。
【請求項１８】
前記第１の前面カバーユニットと前記第２の前面カバーユニットは、前記第１の前面カバーユニットと前記第２の前面カバーユニットとの間の空気の流れを最小化するために配置される、請求項１１に記載のディスプレイ装置。
【請求項１９】
ディスプレイ装置のディスプレイモジュールを覆うカバーを提供し、前記カバーは、
第１の面及び第２の面を有し、その各端から所定の角度を有して延長される第１の外側面部を有する第１の前面カバーユニットと、
前記第１の前面カバーユニットの前記第２の面に配置され、その各端から所定の角度を有して延長される第２の外側面部を有する第２の前面カバーユニットと、を含み、
前記第２の前面カバーユニットの前記第２の外側面部は、前記前面カバーの前記第１の外側面部の少なくとも一部をオーバーラップし、前記第２の外側面部の少なくとも一つが前記ディスプレイの前記ディスプレイモジュールに隣接して配置されるカバー。
【請求項２０】
前記第１の前面カバーユニットは透明な材質で作られ、前記第２の前面カバーユニットは不透明な材質で作られる、請求項１９に記載のカバー。
【発明の詳細な説明】
【技術分野】
【０００１】
本発明の各実施例は、ディスプレイ装置の前面を形成する前面カバー及びその製造方法に関する。
【背景技術】
【０００２】
一般に、ディスプレイ装置は、画像をディスプレイするディスプレイパネルを含む装置であって、液晶パネルやＰＤＰｓ（すなわち、Ｐｌａｓｍａ  Ｄｉｓｐｌａｙ  Ｐａｎｅｌｓ）などを含む。
【０００３】
ディスプレイ装置は、画像がディスプレイされるディスプレイモジュールと、ディスプレイモジュールの前面枠を覆う前面カバーと、ディスプレイモジュールの後面を覆う後面カバーとを含んで構成される。
【０００４】
最近、ディスプレイ装置の高級化に対する要求の増加とともに、ディスプレイ装置のデザイン的な側面が強調されている。特に、ディスプレイ装置の前面カバーは、使用者の目によくつく部分であるので、前面カバーのデザインに応じて製品のイメージが大きく変わる。
【０００５】
したがって、近来は、透明な第１の前面カバーユニットと、第１の前面カバーユニットの後側に配置される不透明な第２の前面カバーユニットとを含み、前面カバーの色が自然に変化するディスプレイ装置が提案されている。
【発明の概要】
【発明が解決しようとする課題】
【０００６】
本発明の各実施例は、第１の前面カバーユニット及び第２の前面カバーユニットを含む前面カバーの美観を向上できるディスプレイ装置と、このようなディスプレイ装置に適用される前面カバーの製造金型セットとを提供する。
【課題を解決するための手段】
【０００７】
本発明の各実施例に係るディスプレイ装置は、画像を表示するディスプレイモジュール；及び前記ディスプレイモジュールの前面枠を覆い、第１の前面カバーユニットと、前記第１の前面カバーユニットの後側に形成された第２の前面カバーユニットとを含む前面カバー；を含み、前記第１の前面カバーユニットは、略四角リング状を有する第１の前面部と、前記第１の前面部の内側端及び外側端のうち少なくとも何れか一つから後方に延長された第１の側面部とを含み、前記第２の前面カバーユニットは、前記第１の側面部の後面一部を覆うように延長されたオーバーラップ部を含む。
【０００８】
また、前記第１の側面部は、前記第１の前面部の外側端から後方に延長された第１の外側面部を含み、前記第２の前面カバーユニットのオーバーラップ部は、外側に延長されて前記第１の外側面部の後面一部を覆う第１のオーバーラップ部を含む。
【０００９】
また、前記第２の前面カバーユニットは、前記第１の前面部の後側に配置される第２の前面部と、前記第２の前面部の外側端から後方に延長され、前記第１の外側面部の内側に配置される第２の外側面部とを含み、前記第１のオーバーラップ部は、前記第２の外側面部から外側に延長される。
【００１０】
また、前記第１の側面部は、前記第１の前面部の内側端から後方に延長された第１の内側面部を含み、前記第２の前面カバーユニットのオーバーラップ部は、内側に延長されて前記第１の内側面部の後面一部を覆う第２のオーバーラップ部を含む。
【００１１】
また、前記第２の前面カバーユニットは、前記第１の前面部の後側に配置される第２の前面部と、前記第２の前面部の内側端から後方に延長され、前記第１の内側面部の内側に配置される第２の内側面部とを含み、前記第２のオーバーラップ部は、前記第２の内側面部から内側に延長される。
【００１２】
また、前記第１の前面カバーユニット及び前記第２の前面カバーユニットのうちいずれか一つは透明な材質で形成され、前記第１の前面カバーユニット及び前記第２の前面カバーユニットのうち他の一つは不透明な材質で形成される。
【００１３】
また、本発明の一実施例に係るディスプレイ装置の前面カバーの製造金型セットは、第１の前面部、及び第１の前面部の端から延長された第１の側面部を備えた第１の前面カバーユニットと、前記第１の前面カバーユニットの後側に二重射出成形によって配置される第２の前面カバーユニットとを製造し、前記第１の前面カバーユニットの前面に対応する形状を有する第１の成形面が設けられた第１の金型と、前記第１の前面カバーユニットの後面に対応する形状を有し、前記第１の成形面と共に、前記第１の前面カバーユニットに対応する形状を有する第１のキャビティを形成する第２の成形面が設けられた第２の金型と、前記第２の前面カバーユニットの後面に対応する形状を有し、前記第１の前面カバーユニットの後面と共に、前記第２の前面カバーユニットに対応する形状を有する第２のキャビティを形成する第３の成形面が設けられた第３の金型とを含み、前記第３の成形面は、前記第１の側面部の後面一部に対向するオーバーラップ部成形面を含む。
【００１４】
また、前記第３の成形面は、前記第１の前面部の外側端から後方に延長される第１の外側面部の後面から離隔する第１のオーバーラップ部成形面を含む。
【００１５】
また、前記第３の成形面は、前記第１の前面部の内側端から後方に延長される第１の内側面部の後面から離隔する第２のオーバーラップ部成形面を含む。
【００１６】
さらに、本発明の各実施例に係るディスプレイ装置は、画像をディスプレイするディスプレイモジュールと、前記ディスプレイモジュールの前面枠を覆い、その第１の端及び第２の端のうち少なくとも一つから前記ディスプレイモジュールに向かって延長される第１の側面部を含む前面カバーと、前記ディスプレイモジュール及び前記前面カバーと隣接して配置され、前記前面カバーを通して伝送される光を反射し、前記ディスプレイ装置の前面の色を変える反射部材とを含む。
【００１７】
前記ディスプレイ装置の前面カバーは、第１の材質で作られる第１の前面カバーユニットと、前記第１の前面カバーユニットの第１の面に配置される第２の材質で作られ、前記ディスプレイモジュールに隣接する第２の前面カバーユニットとを含む。
【００１８】
前記ディスプレイ装置は、前記第１の材質が透明な材質で、前記第２の材質が不透明な材質である。
【００１９】
前記ディスプレイ装置は、前記第２の前面カバーユニットが、前記第２の前面カバーユニットの反対端に配置され、前記前面カバーの前記第１の側部の少なくとも一部をカバーするオーバーラップ部を含む。
【００２０】
前記ディスプレイ装置は、前記第２の前面カバーユニットの前記オーバーラップ部が、前記第１の前面カバーの第１及び第２の端に対応して覆うように配置される。
【００２１】
前記ディスプレイ装置は、前記第１の前面カバーユニットと前記第２の前面カバーユニットが一体に形成される。
【００２２】
前記ディスプレイ装置は、前記第１の前面カバーユニットと前記第２の前面カバーユニットが互いに貼り付けられる。
【００２３】
前記ディスプレイ装置は、前記第１の前面カバーユニットと前記第２の前面カバーユニットが四角リング状を有する。
【００２４】
前記ディスプレイ装置は、前記第１の前面カバーユニットと前記第２の前面カバーユニットが、前記第１の前面カバーユニットと前記第２の前面カバーユニットとの間の空気の流れを最小化するために配置される。
【００２５】
さらに、本発明の各実施例は、ディスプレイ装置のディスプレイモジュールを覆うカバーを提供し、前記カバーは、第１の面及び第２の面を有する前記第１の前面カバーユニットの各端から一定の角度を有して延長される第１の外側面部を有する第１の前面カバーユニットと、前記第１の前面カバーユニットの前記第２の面に配置される前記第２の前面カバーユニットの各端から一定の角度を有して延長される第２の外側面部を有する第２の前面カバーユニットとを含み、前記第２の前面カバーユニットの前記第２の外側面部は、前記前面カバーの前記第１の外側面部の少なくとも一部をオーバーラップし、前記第２の外側面部の少なくとも一つが前記ディスプレイの前記ディスプレイモジュールに隣接して配置される。
【００２６】
前記第１の前面カバーユニットは透明な材質で作られ、前記第２の前面カバーユニットは不透明な材質で作られる。
【発明の効果】
【００２７】
上述したように、本発明の各実施例に係るディスプレイ装置及びこのディスプレイ装置に適用された前面カバーの製造金型セットは、第２の前面カバーユニットのオーバーラップ部が第１の前面カバーユニットの側面部の後面一部を覆うので、第１の前面カバーユニットの第１の外側面部と第２の前面カバーユニットの第２の外側面部との間のギャップ及び第１の前面カバーユニットの第１の内側面部と第２の前面カバーユニットの第２の内側面部との間のギャップを通して空気が流入及び／又は受け取られる場合に発生する前面カバーの外観の品質悪化を最小化及び／又は防止することができる。
【図面の簡単な説明】
【００２８】
【図１】本発明の各実施例に係るディスプレイ装置の斜視図である。
【図２】本発明の各実施例に係るディスプレイ装置の分解斜視図である。
【図３】図２のＩ−Ｉ線に沿った断面図である。
【図４】図３のＡ部拡大図である。
【図５】本発明の各実施例に係るディスプレイ装置の前面カバーの製造金型の動作を示した断面図である。
【図６】本発明の各実施例に係るディスプレイ装置の前面カバーの製造金型の動作を示した断面図である。
【図７】本発明の各実施例に係るディスプレイ装置の前面カバーの製造金型の動作を示した断面図である。
【発明を実施するための形態】
【００２９】
以下では、本発明に係る好適な各実施例に係るディスプレイ装置を添付の図面を参照して詳細に説明する。
【００３０】
図１と図２に示したように、本発明の各実施例に係るディスプレイ装置１０は、画像を表示するディスプレイモジュール１００と、ディスプレイモジュール１００の前面枠を覆う前面カバー２００と、前面カバー２００と前後方向に結合され、ディスプレイモジュール１００の後面を覆う後面カバー３００とを含む。
【００３１】
前面カバー２００は、図３に示したように、ディスプレイ装置１０の前面の色が変化するように、透明な材質で形成された第１の前面カバーユニット２１０と、不透明な材質で形成された第２の前面カバーユニット２２０とを含む。第１の前面カバーユニット２１０と第２の前面カバーユニット２２０は二重射出成形及び／又は各カバーユニット２１０、２２０を一体に形成するための任意の適切な方法によって一体に形成し、本発明の各実施例を遂行することができる。さらに、第１の前面カバーユニット２１０と第２の前面カバーユニット２２０は、ファスナーによって互いに結合及び／又は貼り付けることができる。
【００３２】
反射部材４００は、前面カバー２００の後面の上端及び下端に配置することができる。反射部材４００は、光（例えば、前面カバー２００内に流入した反射光）を前方に反射し、前面カバー２００の色調を変化させることができる。すなわち、前面カバー２００に入射及び／又は前面カバー２００を通して伝送された光は、前面カバー２００に向かって反射部材４００によって反射し、前面カバー２００の色調を変化させることができる。
【００３３】
第１の前面カバーユニット２１０は、図４に示したように、略四角リング状を有し、前面カバー２００の前面を形成する第１の前面部２１１と、第１の前面部２１１から後方に延長された第１の側面部２１２、２１３とを含む。ここで、第１の側面部２１２、２１３は、第１の前面部２１１の外側端から後方に延長される第１の外側面部２１２と、第１の前面部２１１の内側端から後方に延長される第１の内側面部２１３とを含む。
【００３４】
また、第２の前面カバーユニット２２０は、第１の前面カバーユニット２１０と同様に、略四角リング状を有し、第１の前面カバーユニット２１０の後方に設置することができる。また、第２の前面カバーユニット２２０は、第１の前面部２１１の後方に配置される第２の前面部２２１と、第２の前面部２２１から後方に延長された第２の側面部２２２、２２３とを含む。第２の側面部２２２、２２３は、第２の前面部２２１の外側端から後方に延長され、第１の外側面部２１２の内側に配置される第２の外側面部２２２と、第２の前面部２２１の内側端から後方に延長され、第１の内側面部２１３の内側に配置される第２の内側面部２２３とを含む。
【００３５】
ここで、第１の前面カバーユニット２１０と第２の前面カバーユニット２２０が互いに異なる材質で形成できるので、一定の量より大きい力を有する外部衝撃が前面カバー２００に作用する場合、第１の前面カバーユニット２１０と第２の前面カバーユニット２２０との間にギャップが形成される。特に、後端が外部に露出している第１の外側面部２１２と第２の外側面部２２２との間及び第１の内側面部２１３と第２の内側面部２２３との間にギャップが形成され、一つ以上のギャップを通して空気が流入及び／又は受け取られる。第１の外側面部２１２と第２の外側面部２２２の各後端部間及び第１の内側面部２１３と第２の内側面部２２３の各後端間のギャップを通して空気が流入及び／又は受け取られる場合、各ギャップを通過する光の屈折率が空気によって部分的に変わり、その結果、前面カバー２００の外観の変化（例えば、前面カバー２００の外観の悪化及び／又は変化）をもたらす。
【００３６】
このような前面カバーの外観の悪化及び／又は変化を最小化及び／又は防止するために、第２の前面カバーユニット２２０は、第１の側面部２１２、２１３の後面の少なくとも一部を覆うオーバーラップ部２２４、２２５を含むことができる。
【００３７】
オーバーラップ部２２４、２２５は、第２の外側面部２２２の後端側から外側に延長され、第１の外側面部２１２の後面一部を覆う第１のオーバーラップ部２２４と、第２の内側面部２２３の後端側から内側に延長され、第１の内側面部２１３の後面の少なくとも一部を覆う第２のオーバーラップ部２２５とを含むことができる。
【００３８】
このように第１の外側面部２１２の後面一部と第１の内側面部２１３の後面一部が第１のオーバーラップ部２２４と第２のオーバーラップ部２２５によって覆われると、第１の外側面部２１２と第２の外側面部２２２との間のギャップを通して流入及び／又は受け取られた空気は、第１のオーバーラップ部２２４によって抑制し、第１の内側面部２１３と第２の内側面部２２３との間のギャップを通して流入及び／又は受け取られた空気は、第２のオーバーラップ部２２５によって抑制することができる。
【００３９】
第１の外側面部２１２と第２の外側面部２２２との間のギャップ及び第１の内側面部２１３と第２の内側面部２２３との間のギャップを通して空気が流入及び／又は受け取られるとしても、第１の外側面部２１２と第２の外側面部２２２との間のギャップ及び第１の内側面部２１３と第２の内側面部２２３との間のギャップを通過する光の量は、第１のオーバーラップ部２２４及び第２のオーバーラップ部２２５によって減少できるので、第１の外側面部２１２と第２の外側面部２２２との間のギャップ及び第１の内側面部２１３と第２の内側面部２２３との間のギャップを通した空気の流入及び/又は受け取りは減少し、前面カバー２００の外観の品質悪化を最小化することができる。
【００４０】
以下では、このように構成されたディスプレイ装置の前面カバーの製造金型セットを図面を参照して詳細に説明する。
【００４１】
図５〜図７に示したように、ディスプレイ装置の前面カバーの製造金型セット５００は、第１の前面カバーユニット２１０の前面に対応する形状を有する第１の成形面５１１、５１２、５１３が設けられた第１の金型５１０を含むことができる。また、製造金型セット５００は、第１の前面カバーユニット２１０の後面に対応する形状を有する第２成形面５２１、５２２、５２３が設けられ、第１の成形面５１１、５１２、５１３と共に、第１の前面カバーユニット２１０に対応する形状を有する第１のキャビティＣ１を形成する第２の金型５２０を含むことができる。さらに、製造金型セット５００は、第１の前面カバーユニット２１０の後面に対応する形状を有する第３の成形面５３１、５３２、５３３、５３４、５３５が設けられ、第１の前面カバー２１０の後面と共に第２の前面カバーユニット２２０に対応する形状を有する第２のキャビティＣ２を形成する第３の金型５３０を含むことができる。
【００４２】
第１の成形面５１１、５１２、５１３は、第１の前面部２１１の前面に対応する形状を有する第１の前面部成形面５１１と、第１の外側面部２１２の外面に対応する形状を有する第１の外側面部成形面５１２と、第１の内側面部２１３の外面に対応する形状を有する第１の内側面部成形面５１３とを含むことができる。
【００４３】
第２の成形面５２１、５２２、５２３は、第１の前面部２１１の後面に対応する形状を有し、第１の前面部成形面５１１に対向して第１の前面部成形面５１１から離隔して配置される第２の前面部成形面５２１を含むことができる。第２の外側面部成形面５２２は、第１の外側面部２１２の内面に対応する形状を有し、第１の外側面部成形面５１２に対向して第１の外側面部成形面５１２から離隔して配置される。また、第２の内側面部成形面５２３は、第１の内側面部２１３の内面に対応する形状を有し、第１の内側面部成形面５１３に対向して第１の内側面部成形面５１３から離隔して配置される。
【００４４】
第３の成形面５３１、５３２、５３３、５３４、５３５は、第１の前面カバーユニット２１０の後面に対向して、第１の金型５１０に形成された第１の前面カバーユニット２１０の後面から離隔して配置される第３の前面部成形面５３１を含むことができる。第３の外側面部成形面５３２は、第１の外側面部２１２の内面に対向して、第１の前面カバーユニット２１０の第１の外側面部２１２の内面から離隔して配置することができる。また、第３の内側面部成形面５３３は、第１の内側面部２１３の内面に対向して、第１の前面カバー２１０の第１の内側面部２１３の内面から離隔して配置することができる。
【００４５】
上述した第１のオーバーラップ部２２４を形成するために、第３の成形面５３１、５３２、５３３、５３４、５３５は、第１の外側面部２１２の後面一部に対向して、第１の前面カバー２１０の第１の外側面部２１２の後面一部から離隔して配置される第１のオーバーラップ部成形面５３４を含むことができる。また、上述した第２のオーバーラップ部２２５を形成するために、第３の成形面５３１、５３２、５３３、５３４、５３５は、第１の内側面部２１３の後面一部に対向して、第１の前面カバー２１０の第１の内側面部２１３の後面一部から離隔して配置される第２のオーバーラップ部成形面５３５を含むことができる。
【００４６】
図５に示したように、第１の金型５１０と第２の金型５２０を結合することによって第１の成形面５１１、５１２、５１３と第２の成形面５２１、５２２、５２３との間に形成される第１のキャビティＣ１に溶融樹脂を注入し、第１の前面カバーユニット２１０を形成することができる。第１の前面カバーユニット２１０が第１の金型５１０に載せられたとき、第２の金型５２０を第１の金型５１０から分離することができる。図６に示したように、第３の金型５３０は第１の金型５１０に結合することができる。図７に示したように、第１の前面カバーユニット２１０の後面と第３の成形面５３１、５３２、５３３、５３４、５３５との間に形成される第２のキャビティＣ２に溶融樹脂を注入し、第２の前面カバーユニット２２０を形成することができる。
【００４７】
第１の金型５１０と第３の金型５３０を通した第２の前面カバーユニット２２０の形成過程で、溶融樹脂は、第１の外側面部２１２の後面一部と第１のオーバーラップ部成形面５３４との間のギャップに流入し、第１の外側面部２１２の後面一部を覆う第１のオーバーラップ部２２４が第２の前面カバーユニット２２０と一体に形成される。また、溶融樹脂は、第１の内側面部２１３の後面一部と第２のオーバーラップ部成形面５３５との間のギャップに流入し、第１の内側面部２１３の後面一部を覆う第２のオーバーラップ部２２５が第２の前面カバーユニット２２０と一体に形成される。
【００４８】
本発明は、上述した実施例に限定されるものではなく、本発明の思想及び範囲を逸脱せずとも多様に修正及び変形可能であることは、この技術分野で通常の知識を有する者にとって自明である。したがって、そのような修正例又は変形例は、本発明の特許請求の範囲に属すると言えるだろう。
【符号の説明】
【００４９】
１０    ディスプレイ装置
１００    ディスプレイモジュール
２００    前面カバー
２１０    第１の前面カバーユニット
２２０    第２の前面カバーユニット
２２４、２２５    オーバーラップ部
３００    後面カバー
４００    反射部材
５００    前面カバーの製造金型セット
５１０    第１の金型
【図１】
2013518294.tif 000003
【図２】
2013518294.tif 000004
【図３】
2013518294.tif 000005
【図４】
2013518294.tif 000006
【図５】
2013518294.tif 000007
【図６】
2013518294.tif 000008
【図７】
2013518294.tif 000009
【国際調査報告】
2013518294.tif 000010
2013518294.tif 000011